(57)【要約】【課題】本発明は、側弯矯正装具の装着時のみならず、装着後においても胸椎矯正体の角度を自由に調整することができ、常に好適な装着感をもって麻痺性側弯症等の矯正を行なうことが出来る、側弯矯正装具を提供するものである。【解決手段】体幹の輪郭に合わせて骨盤支持体２と脊柱支持体３と両側の上位胸椎矯正体５および胸椎矯正体６とが一体に形成されると共に、所要の装着バンド２０・２１・２３が付設されてなる側弯矯正装具１において、上記胸椎矯正体６の内面に胸椎矯正片７が配設され、該胸椎矯正片７はその後端部が脊柱支持体３に固着されると共に、同前端部が角度調整手段９を介して骨盤支持体２に角度調整自在に連結されている。【選択図】図１
2016036432.tif 000002
【特許請求の範囲】
【請求項１】
体幹の輪郭に合わせて骨盤支持体と脊柱支持体と両側の上位胸椎矯正体および胸椎矯正
体が一体に形成されると共に、所要の装着バンドが付設されてなる側弯矯正装具において
、上記胸椎矯正体の内面に胸椎矯正片が配設され、該胸椎矯正片はその後端部が脊柱支持
体に固着されると共に、同前端部が角度調整手段を介して骨盤支持体に角度調整自在に連
結されてなることを特徴とする、側弯矯正装具。
【請求項２】
脊柱支持体の上端部から骨盤支持体の下端部にかけて拡開用のスリットが形成されてなることを特徴とする、請求項１記載の側弯矯正装具。 
【発明の詳細な説明】
【技術分野】
【０００１】
本発明は、側弯症を矯正するさいに使用するアンダ−ア−ム型の側弯矯正装具に関する
。
【背景技術】
【０００２】
側弯症は、脊柱が右または左に弯曲したもので、多くの場合に脊柱の回旋を伴うもので
ある。そして、かかる弯曲の程度は、側弯の上端の椎骨と下端の椎骨がつくる角度で表わ
され、軽症の場合には目立たないが、１５度を越える場合には外見上も明らかとなり、両
肩や肩甲骨の高さが異なってくる。そして、前屈すると、脊柱の凸側の脊部の肋骨が後方
にふくらみ、重症になると単に外見上の問題だけでなく、胸郭の変形から呼吸機能が低下
するのみならず、心臓機能の低下を惹起せしめるものであり、一般に２０度を越える場合
には治療が必要とされるものである。
【０００３】
そして、かかる側弯症の治療としては、特開平５−４２１７５号公報、特開平６−２９
６６３７号公報などに開示されている腰椎牽引装置を用いて懸垂や斜面牽引などを行う運
動療法、側弯矯正装具を用いる保存方法が知られている。
【０００４】
ところで、上記保存方法に用いられる側弯矯正装具としては、一般的には非特許文献１
記載のミルウォ−キ−型、アンダ−ア−ム型ボストンタイプのものが使用されているが、
麻痺性側弯症（脳性麻痺や筋肉、神経の病気に伴う側弯症）などについては非特許文献２
記載のホ−ルディングタイプのものが知られている。そして、かかるホ−ルディングタイ
プの側弯矯正装具は、体幹の輪郭に合せて骨盤支持体と脊柱支持体と両側の上位胸椎矯正
体および胸椎矯正体とが一体に形成され、該骨盤支持体と上位胸椎矯正体および胸椎矯正
体の各前部は各々開放状に形成されると共に、該各開放端には装着バンドが付設された基
本構成よりなるものである。
【０００５】
上述の如く構成された非特許文献２記載の側弯矯正装具は、体幹にぴったりと装着して
体幹を矯正保持せしめ、反射による矯正が期待できない麻痺性側弯症等の矯正に使用する
ものである。
【先行技術文献】
【非特許文献】
【０００６】
【非特許文献１】社団法人日本義肢協会「靴型装具・体幹装具」（２０１４年７月２３日検索）、インタ−ネット＜ＵＲＬ：ｈｔｔｐ：//ｗｗｗ．ｊ−ｏｐａ．ｏｒ．ｐ／ｓｏｕｇｕｔｏｈａ／ｓｏｕｇｕｎｉｔｕｉｔｅ．ｈｔｍ＞
【非特許文献２】有限会社永野義肢「側弯矯正装具  ホ−ルディング」（２０１４年７月２３日検索）、インタ−ネット＜ＵＲＬ：ｈｔｔｐ：//ｗｗｗ．ｎａｇａｎｏｇｉｓｈｉ．ｊｐ／ｓｕｂ／ｂｒａｃｅ．ｈｔｍｌ＞
【発明の概要】
【発明が解決しようとする課題】
【０００７】
ところで、上記非特許文献２記載の側弯矯正装具は、体幹の輪郭に合せて形成されてい
るから、体幹にぴったりとフィットし、麻痺性側弯症等の側弯矯正を行うことが出来る反
面、胸椎矯正体は常に固定的であり、角度を調整することは出来ないものである。このた
め、側弯矯正装具の装着時のみならず装着後において、胸椎矯正体の角度を調整する必要
が生じた場合にはこれに対応することが出来ず、ひいては、不快な装着感を装着者に強い
るものとなっていた。   
【０００８】
本発明は従来の課題を解決し、側弯矯正装具の装着時のみならず、装着後においても胸
椎矯正体の角度を自由に調整することができ、常に好適な装着感をもって麻痺性側弯症等
の矯正を行なうことが出来る、側弯矯正装具を提供しようとするものである。
【課題を解決するための手段】
【０００９】
上記の目的を達成するため、本発明の請求項１記載の発明は、体幹の輪郭に合わせて骨
盤支持体と脊柱支持体と両側の上位胸椎矯正体および胸椎矯正体とが一体に形成されると
共に、所要の装着バンドが付設されてなる側弯矯正装具において、上記胸椎矯正体の内面
に胸椎矯正片が配設され、該胸椎矯正片はその後端部が脊柱支持体に固着されると共に、
同前端部が角度調整手段を介して骨盤支持体に角度調整自在に連結されてなることを特徴とする、側弯矯正装具を要旨とするものである。
【００１０】
本発明の請求項２記載の発明は、脊柱支持体の上端部から骨盤支持体の下端部にかけて
拡開用のスリットが形成されてなることを特徴とする、請求項１記載の側弯矯正装具を要旨とするものである。                                      
【発明の効果】
【００１１】
本発明の請求項１記載の発明は、上述のように構成されているから、側弯矯正装具の装
着時のみならず、装着後においても胸椎矯正体の胸椎矯正片角度を角度調整手段でもって
自由に調整することが出来るものであって、常に好適な装着感でもって側弯矯正を適正に
行なうことが出来るものである。
【００１２】
本発明の請求項２記載の発明は、上述のように構成されているから、スリットを介して
脊柱支持体と骨盤支持体とを適宜外側方に拡開作動せしめつつ体幹に合せることが出来る
ものであって、常に、側弯矯正装具の装着を容易に行なうことが出来るものである。
【図面の簡単な説明】
【００１３】
【図１】本発明の一実施例を示す正面図である。
【図２】実施例の胸椎矯正片７の角度調整状態を示す正面図である。
【図３】実施例の角度調整手段９を示す正面図である。
【図４】実施例の角度調整手段９を示す斜視図である。
【図５】実施例の角度調整手段９を示す分解斜視図である。
【発明を実施するための形態】
【００１４】
以下に、本発明を実施するための形態を図面に示す一実施例に基づいて説明する。
【００１５】
図１〜図５は本発明の一実施例を示すもので、同図中、１は体幹の輪郭に合わせて一体
に形成された側弯矯正装具で、該側弯矯正装具１はサブオルソレンや軟質ポリエチレンな
どの熱可塑性樹脂により一体的に成型されている。２は上記側弯矯正装具１を構成する略
楕円形状の骨盤支持体、３は脊柱を支持せしめるべく該骨盤支持体２の背部中央に一体に
立設された脊柱支持体、４は該脊柱支持体３の上端部から骨盤支持体２の下端部にかけて
形成された拡開用スリット、５は胸椎弯曲を矯正せしめるべく骨盤支持体２より脊柱支持
体３の一側に一体形成された上位胸椎矯正体、６は胸椎弯曲を矯正せしめるべく骨盤支持
体２より脊柱支持体３の他側に一体形成された胸椎矯正体、７は該胸椎矯正体６の内面に
配設された胸椎矯正片で、該胸椎矯正片７はその後端部が脊柱支持体３にリベット８を介
して固着されると共に、同前端部は角度調整手段９を介して骨盤支持体２の前部がわに角
度調整自在に連結されている。  
【００１６】
そして、上記角度調整手段９は、図３〜図５に図示するように、所要の長さを有する細
長なプレ−ト状の第１ア−ム１０と、該第１ア−ム１０に取付けられた略欠円弧状の巻締
め部１２付き巻締め体１１と、上記巻締め部１２に巻締め状に嵌合されたボス状の回転軸
部１４を有する細長なプレ−ト状の第２ア−ム１３と、該第２ア−ム１３の先端がわに配
設されたスペ−サ１５と、第２ア−ム１３をカバ−せしめるサイドカバ−１６とよりなり
、上記サイドカバ−１６はリベット１７を介してスペ−サ１５・巻締め体１１の基端部・
第１ア−ム１０に一体的に接合されると共に、リベット１８を介して巻締め部１２の自由
端部・第１ア−ム１０に接合され、また、サイドカバ−１６は回転軸部１４と巻締め部１
２に各々挿通されたリベット状の規制部材１９を介して第１ア−ム１０に連結されている
。
【００１７】
その他、２０は脊柱支持体３のスリット４端部を緊締せしめるべく付設された面ファス
ナ−２２付き脊柱支持体用装着バンド、２１は骨盤支持体２のスリット４端部を緊締せし
めるべく付設された面ファスナ−２２付き骨盤支持体用装着バンド、２３は上位胸椎矯正
体５と胸椎矯正体６との前側開放端部を緊締せしめるべく付設された面ファスナ−２４付
き胸椎矯正体用装着バンドである。
【００１８】
なお、上記角度調整手段９は、図３に図示するように、第１ア−ム１０の時計回り方向
および反時計回り方向の回転作動により発生する摩擦力によって第１ア−ム１０の回転が
許容及び阻止されるものとされている。
即ち、上記角度調整手段９において、第１ア−ム１０に時計回り方向への荷重が加わる
と、第１ア−ム１０は第２ア−ム１３の回転軸部１４を中心として時計回り方向に回転し
ようとする。そして、かかる時計回り方向への回転作動により回転軸部１４の外周面と巻
締め部１２の内周面との接触部に時計回り方向への摩擦力が発生し、巻締め部１２は回転
軸部１４の外周面に対して緩め方向に作用する、すると、この摩擦力によって巻締め部１
２が緩め方向に弾性的に若干変形し、これにより回転軸部１４の外周面への巻締め力が減
少し、その結果、第１ア−ム１０の時計回り方向への回転が許容される。    
逆に、第１ア−ム１０に反時計回り方向への荷重が加わると、第１ア−ム１０は回転軸
部１４を中心に反時計回り方向に回転しようとする。このような反時計回り方向への回転
作動により、回転軸部１４の外周面と巻締め部１２の内周面との接触部に反時計回り方向
への摩擦力が発生し、巻締め部１２は回転軸部１４の外周面に対して巻締め方向に作用す
る。すると、かかる摩擦力によって巻締め部１２が巻締め方向に若干変形し、これにより
回転軸部１４の外周面への巻締め力が増加し、その結果、第１ア−ム１０の反時計回り方
向への回転が阻止されるものである。
【００１９】
そして、上述の如く構成された側弯矯正装具１は、先ず、予め胸椎矯正片７を角度調整
手段９でもって所要の角度に調整せしめる。しかるのち、骨盤支持体２を人体の骨盤に、
脊柱支持体３を脊柱に、胸椎矯正片７を胸椎弯曲の一側に、上位胸椎矯正体５を同他側の
上位胸椎に各々外嵌状に当てがいつつ当接せしめる。しかるのち、脊柱支持体用装着バン
ド２０と骨盤支持体用装着バンド２１によりスリット４の上下端部を各々緊締せしめると
共に、胸椎矯正体用装着バンド２３により上位胸椎矯正体５と胸椎矯正体６との前部開放
端を緊締せしめ、側弯矯正装具１を体幹にぴったりとフィットせしめた状態に装着して麻
痺性側弯症等における側弯矯正を適正に行なうものである。
そして、側弯矯正装具１の装着後において、胸椎矯正片７の角度を調整する必要が生じ
た場合には、図２に図示するように、角度調整手段９でもって胸椎矯正片７の角度を適正
に調整せしめ、好適な装着感をもって側弯矯正を行うとよい。
【００２０】
なお、上記実施例において、角度調整手段９は巻締め体１１と回転軸部１４との摩擦力
を利用して角度調整するものとされているが、これに限定されるものでなく、ラチエット
歯車とラチエット爪との噛合を利用して角度調整せしめるべく構成せしめてもよいもので
ある。
【符号の説明】
【００２１】
１  側弯矯正装具
２  骨盤支持体
３  脊柱支持体
４  スリット
５  上位胸椎矯正体
６  胸椎矯正体
７  胸椎矯正片  
９  角度調整手段
２０  脊柱支持体用装着バンド
２１  骨盤支持体用装着バンド
２３  胸椎矯正体用装着バンド
【図１】
2016036432.tif 000003
【図２】
2016036432.tif 000004
【図３】
2016036432.tif 000005
【図４】
2016036432.tif 000006
【図５】
2016036432.tif 000007